(57)【要約】【課題】基地局装置と移動局装置との間の伝播路の状況に応じた変調方式と誤り訂正方式が定義されたテーブルを適宜更新することにより、最適な変調方式と誤り訂正方式を選択できる。【解決手段】複数の基地局装置と、前記基地局装置のいずれかと通信可能なセル内にある第１の移動局装置と第２の移動局装置とを有し、前記第１の移動局装置および第２の移動局装置は、成否情報を送信する無線通信システムであって、前記基地局装置は、前記基地局装置と前記第１の移動局装置との間の伝搬路の状況と、前記第１の移動局装置から送信された成否情報とに基づいて、第１のテーブルに定義された変調方式と誤り訂正符号化率を更新し、前記基地局装置と前記第２の移動局装置との間の伝搬路の状況と、前記第２の移動局装置から送信された成否情報とに基づいて、第２のテーブルに定義された変調方式と誤り訂正符号化率を更新するテーブル更新手段を有する。【選択図】図２
2009207044.tif 000002
【特許請求の範囲】
【請求項１】
複数の基地局装置と、前記基地局装置のいずれかと通信可能なセル内にあって、前記基地局装置との間の伝搬路の状況に応じて割り当てられる第１の移動局装置と、前記セル内にあって、前記第１の移動局装置以外の第２の移動局装置とを有し、前記第１の移動局装置および第２の移動局装置は、成否情報を送信する無線通信システムであって、
前記基地局装置は、
前記伝搬路の状況に応じた変調方式と誤り訂正符号化率とが定義された第１のテーブルと第２のテーブルとを有するテーブル保持手段と、
前記第１の移動局装置にデータを送信する場合には、前記第１のテーブルから伝搬路の状況に応じた変調方式と誤り訂正符号化率を選択し、前記第２の移動局装置にデータを送信する場合には、前記第２のテーブルから伝搬路に応じた変調方式と誤り訂正符号化率を選択する選択手段と、
前記第１の移動局装置に対するデータを、前記セルに近接する他のセルに対して所定のタイミングで、所定の周波数帯域を占有させて送信するためのデータを生成するデータ生成手段と、
前記基地局装置と前記第１の移動局装置との間の伝搬路の状況と、前記第１の移動局装置から送信された成否情報とに基づいて、前記第１のテーブルに定義された変調方式と誤り訂正符号化率を更新し、前記基地局装置と前記第２の移動局装置との間の伝搬路の状況と、前記第２の移動局装置から送信された成否情報とに基づいて、前記第２のテーブルに定義された変調方式と誤り訂正符号化率を更新するテーブル更新手段と
を有し、
前記第１の移動局装置および第２の移動局装置は、
前記基地局装置から正しいデータを受信できたか否かを示す前記成否情報を検出する成否情報検出手段と、
前記検出された成否情報を送信する送信手段と
を有する無線通信システム
【発明の詳細な説明】
【技術分野】
【０００１】
本発明は、基地局装置から複数の移動局装置にデータフレームを送信する無線通信システムに関する。
【背景技術】
【０００２】
例えば、特許文献１は、セル端での周波数利用効率を向上させる無線アクセスネットワーク装置および方法を開示する。
【特許文献１】特開２００７−２５８８４４
【発明の開示】
【発明が解決しようとする課題】
【０００３】
本発明は、上述した背景からなされたものであって、基地局装置と移動局装置との間の伝播路の状況に応じた変調方式と誤り訂正方式が定義されたテーブルを、適宜更新することにより、最適な変調方式と誤り訂正方式を選択できるように改良された無線通信システムを提供することを目的とする。
【課題を解決するための手段】
【０００４】
複数の基地局装置と、前記基地局装置のいずれかと通信可能なセル内にあって、前記基地局装置との間の伝搬路の状況に応じて割り当てられる第１の移動局装置と、前記セル内にあって、前記第１の移動局装置以外の第２の移動局装置とを有し、前記第１の移動局装置および第２の移動局装置は、成否情報を送信する無線通信システムであって、前記基地局装置は、前記伝搬路の状況に応じた変調方式と誤り訂正符号化率とが定義された第１のテーブルと第２のテーブルとを有するテーブル保持手段と、前記第１の移動局装置にデータを送信する場合には、前記第１のテーブルから伝搬路の状況に応じた変調方式と誤り訂正符号化率を選択し、前記第２の移動局装置にデータを送信する場合には、前記第２のテーブルから伝搬路に応じた変調方式と誤り訂正符号化率を選択する選択手段と、前記第１の移動局装置に対するデータを、前記セルに近接する他のセルに対して所定のタイミングで、所定の周波数帯域を占有させて送信するためのデータを生成するデータ生成手段と、前記基地局装置と前記第１の移動局装置との間の伝搬路の状況と、前記第１の移動局装置から送信された成否情報とに基づいて、前記第１のテーブルに定義された変調方式と誤り訂正符号化率を更新し、前記基地局装置と前記第２の移動局装置との間の伝搬路の状況と、前記第２の移動局装置から送信された成否情報とに基づいて、前記第２のテーブルに定義された変調方式と誤り訂正符号化率を更新するテーブル更新手段とを有し、前記第１の移動局装置および第２の移動局装置は、前記基地局装置から正しいデータを受信できたか否かを示す前記成否情報を検出する成否情報検出手段と、前記検出された成否情報を送信する送信手段とを有する。
【０００５】
好適には、前記テーブル更新手段は、前記第１の移動局装置から送信された成否情報のうち、前記基地局装置から正しいデータを受信できなかったことを示す情報が所定の回数以下であった場合には、前記第１のテーブルの伝搬路に応じた変調方式と誤り訂正符号化率を、伝送路量が増加するように更新する。
【０００６】
好適には、前記テーブル更新手段は、前記第２の移動局装置から送信された成否情報のうち、前記基地局装置から正しいデータを受信できなかったことを示す情報が所定の回数以下であった場合には、前記第２のテーブルの伝搬路に応じた変調方式と誤り訂正符号化率を、伝送路量が増加するように更新する。
【０００７】
好適には、前記テーブル更新手段は、前記第１の移動局装置から送信された成否情報のうち、前記基地局装置から正しいデータを受信できなかったことを示す情報が所定の回数以上であった場合には、前記第１のテーブルの伝搬路に応じた変調方式と誤り訂正符号化率を、伝送路量が減少するように更新する。
【０００８】
好適には、前記テーブル更新手段は、前記第２の移動局装置から送信された成否情報のうち、前記基地局装置から正しいデータを受信できなかったことを示す情報が所定の回数以上であった場合には、前記第２のテーブルの伝搬路に応じた変調方式と誤り訂正符号化率を、伝送路量が減少するように更新する。
【発明の効果】
【０００９】
本発明にかかる無線通信システムによれば、基地局装置と移動局装置との間の伝播路の状況に応じた変調方式と誤り訂正方式が定義されたテーブルを、適宜更新することにより、最適な変調方式と誤り訂正方式を選択できる。
【発明を実施するための最良の形態】
【００１０】
〔適応変調方式〕
本発明の理解を助けるために、まず、適応変調を説明する。
デジタル無線通信システムにおいては、従来のリアルタイム音声通信のようなある程度の伝送誤りを許容した伝送遅延が少ない通信から、インターネット等で代表されるような高信頼かつ高スループットの通信が要求されるようになっており、Ｗ−ＣＤＭＡ（Wideband Code Division Multiple Access）、ＣＤＭＡ（Code Division Multiple Access）２０００などで代表される３Ｇ移動通信システムや、ＷｉＭａｘ（Worldwide Interoperability for Microwave Access）などの通信方式が実現されている。
上述した通信方式のシステムでは、高信頼かつ高スループットの通信が維持されるように、伝播路の状況に応じて多値変調方式や誤り訂正符号化率を切換える適応変調方式が採用されている。
【００１１】
図１は、多値変調方式と誤り訂正方式（誤り訂正符号化率）の組合せ（ＭＣ；Modulation&Coding）ごとのＣ／Ｎ（Carrier Energy/Noise ratio）値 に対する誤り率（ＢＥＲ；Bit Error Rate）を示す図である。
図１に示すように、無線伝播路のＣ／Ｎが検出されれば、その回線状況での誤り率が推定される。
検出されたＣ／Ｎ値において、所定の誤り率以下で、最大限の伝送速度が得られる多値変調方式と誤り訂正方式の組合せが選択されることにより、最大の伝送効率で情報通信が可能となる。
例えば、検出されたＣ／Ｎ値＝８（ｄｂ）であった場合、誤り率１％（１Ｅ−２）以下で、最大限の伝送速度が得られるような多値変調方式と誤り訂正方式の組合せは、図１から、変調方式＝１６ＱＡＭ，誤り訂正符号化率＝１／２であることが分かる。
【００１２】
〔第１の実施形態〕
以下、本発明の第１の実施形態を説明する。
図２（Ａ）は、本発明にかかる無線通信システム１の構成、および、基地局装置２および移動局装置３の構成を例示する図であり、図２（Ｂ）は、図２（Ａ）に示した基地局装置２の代わりに用いられる基地局装置４の構成を示す図である。
図２（Ａ）に示すように、無線通信システム１において、基地局装置２と移動局装置３とは無線通信回線１０を介して、ＱＰＳＫなどの変調方式によるデータ伝送が可能にそれぞれ接続される。
なお、各図においては、実質的に同じ構成部分には、同じ符号が付される。
【００１３】
〔基地局装置２〕
基地局装置２は、アンテナ１００、ＯＦＤＭ復調部２００、復調部２０２、Ｃ／Ｎ値検出部２０４、適応変調テーブル部２０６、ＭＣ選択部２０８、適応変調部２１０、ＯＦＤＭ変調部２１２およびＲＦ（Radio Frequency）部２１４から構成される。
以下、各機能がハードウェア的に実現される場合が具体例とされるが、これらの機能は、ＤＳＰ（図示せず）などを用いてソフトウェア的に実現されてもよい。
【００１４】
ＯＦＤＭ復調部２００は、ＲＦ部２１４から入力された受信信号に対してＦＦＴ（Fast Fourier Transform）を行うことにより、サブキャリア毎の一次変調信号に変換して、復調部２０２に対して出力する。
復調部２０２は、ＯＦＤＭ復調部２００から入力されたサブキャリア毎の一次変調信号に含まれているＣ／Ｎ情報、ＡＣＫ／ＮＡＣＫ情報および受信データを、移動局装置３の変調部３１２の変調方式に対応した復調方式で、復調する。
また、復調部２０２は、復調したＣ／Ｎ情報をＣ／Ｎ値検出部２０４に対して出力し、ＡＣＫ／ＮＡＣＫ情報および受信データをホストコンピュータ（図示せず）などに対して出力する。
Ｃ／Ｎ値検出部２０４は、復調部２０２から入力されたＣ／Ｎ情報からＣ／Ｎ値を検出し、ＭＣ選択部２０８に対して出力する。
【００１５】
ＭＣ選択部２０８は、適応変調テーブル部２０６に記憶されている適応変調テーブルを参照し、Ｃ／Ｎ値検出部２０４から入力されたＣ／Ｎ値に対応するＭＣを選択して、適応変調部２１０に対して出力する。
適応変調テーブルには、Ｃ／Ｎ値に応じたＭＣが定義されている。
つまり、検出されたＣ／Ｎ値において、所定の誤り率以下で、最大限の伝送速度が得られる多値変調方式と誤り訂正方式の組合せが、図１が参照されることにより決定され、適応変調テーブルにおいてＣ／Ｎ値に応じたＭＣとして定義される。
例えば、ＭＣ選択部２０８は、Ｃ／Ｎ値検出部２０４から入力されたＣ／Ｎ値＝５（ｄＢ）であった場合には、適応変調テーブルを参照することにより、変調方式＝ＱＰＳＫ，誤り符号化率＝１／２を選択する。
適応変調テーブル部２０６は、上述した適応変調テーブルを記憶する。
【００１６】
適応変調部２１０は、ＭＣ選択部２０８から入力されたＭＣに基づいて、ホストコンピュータ（図示せず）などから入力された送信データを変調し、サブキャリア毎の一次変調信号に変換する。
また、適応変調部２１０は、変換した一次変調信号に、ＭＣの情報（ＭＣ情報）および既知のパターンのパターンデータ（プリアンブル）を含めて、ＯＦＤＭ変調部２１２に対して出力する。
ＯＦＤＭ変調部２１２は、適応変調部２１０から入力されたサブキャリア毎の一次変調信号を、逆ＦＦＴにより周波数信号から時間軸信号へ直交変換してＯＦＤＭ変調を行い、ＲＦ部２１４に対して出力する。
【００１７】
ＲＦ部２１４は、ＯＦＤＭ変調部２１２から入力されたベースバンドの送信信号を、無線通信回線１０を介した伝送のために適した周波数の送信信号に変換し、さらに電力増幅して、アンテナ１００を介して、無線通信回線１０に対して送信する。
また、ＲＦ部２１４は、アンテナ１００を介して入力される無線通信回線１０を介した伝送のために適した周波数の受信信号（伝送信号）を増幅し、ベースバンドの受信信号に変換して、ＯＦＤＭ復調部２００に対して出力する。
【００１８】
〔移動局装置３〕
移動局装置３（図２（Ａ））は、ＲＦ部３００、ＯＦＤＭ復調部３０２、適応復調部３０４（成否情報検出手段）、受信ＭＣ検出部３０６、Ｃ／Ｎ検出部３０８、データ送信部３１０（送信手段）、変調部３１２およびＯＦＤＭ変調部３１４から構成される。
【００１９】
ＲＦ部３００は、アンテナ１００を介して入力される無線通信回線１０を介した伝送のために適した周波数の受信信号（伝送信号）を増幅し、ベースバンドの受信信号に変換して、ＯＦＤＭ復調部３０２に対して出力する。
また、ＲＦ部３００は、ＯＦＤＭ変調部３１４から入力されたベースバンドの送信信号を、無線通信回線１０を介した伝送のために適した周波数の送信信号に変換し、さらに電力増幅して、アンテナ１００を介して、無線通信回線１０に対して送信する。
【００２０】
ＯＦＤＭ復調部３０２は、ＲＦ部３００から入力された受信信号を、ＦＦＴによりサブキャリア毎の一次変調信号に変換して、適応復調部３０４、受信ＭＣ検出部３０６およびＣ／Ｎ検出部３０８に対して出力する。
受信ＭＣ検出部３０６は、ＯＦＤＭ復調部３０２から入力されたサブキャリア毎の一次変調信号から、ＭＣ情報を検出し、適応復調部３０４に対して出力する。
【００２１】
適応復調部３０４は、受信ＭＣ検出部３０６から入力されたＭＣ情報に基づいて、ＯＦＤＭ復調部３０２から入力されたサブキャリア毎の一次変調信号を復調し、ホストコンピュータ（図示せず）などに対して出力する。
また、適応復調部３０４は、復調した受信信号から、正しいデータを受信できたか否かを示す情報（ＡＣＫ／ＮＡＣＫ情報）を検出し、データ送信部３１０に対して出力する。
【００２２】
Ｃ／Ｎ検出部３０８は、ＯＦＤＭ復調部３０２から入力されたサブキャリア毎の一次変調信号の品質を測定し、Ｃ／Ｎ情報としてデータ送信部３１０に対して出力する。
具体的には、入力されたサブキャリア毎の一次変調信号からプリアンブルを検出し、あらかじめ保持しているプリアンブルの情報と比較することなどにより、受信信号の品質を測定する。
【００２３】
データ送信部３１０は、適応復調部３０４から入力されたＡＣＫ／ＮＡＣＫ情報、Ｃ／Ｎ検出部２２６から入力されたＣ／Ｎ情報およびホストコンピュータ（図示せず）などから入力された送信データを変調部３１２に対して出力する。
変調部３１２は、データ送信部３１０から入力されたＡＣＫ／ＮＡＣＫ情報、Ｃ／Ｎ情報および送信データを、ＱＰＳＫなどの低レートの変調方式で一次変調し、サブキャリア毎の一次変調信号に変換して、ＯＦＤＭ変調部３１４に対して出力する。
ＯＦＤＭ変調部３１４は、変調部３１２から入力されたサブキャリア毎の一次変調信号を逆ＦＦＴにより周波数信号から時間軸信号へ直交変換してＯＦＤＭ変調を行い、ＲＦ部３００に対して出力する。
【００２４】
〔第２の実施形態〕
以下、本発明の第２の実施形態を説明する。
上述した移動局装置３および基地局装置４の構成により、伝搬路の変動に追従した最適なＭＣが選択される。
しかしながら、上述した移動局装置３および基地局装置４では、Ｃ／Ｎ検出部３０８が検出したＣ／Ｎ値に基づいて、ＭＣ選択部２０８がＭＣを選択するように構成されているが、実際には、Ｃ／Ｎ検出部３０８がＣ／Ｎ値を検出するタイミングと、ＭＣ選択部２０８が、Ｃ／Ｎ検出部３０８が検出したＣ／Ｎ値を取得するタイミングとでは、時間差がある。
つまり、上述した時間差の間に、伝搬路が変動してしまった場合、ＭＣ選択部２０８は、結果として適切なＭＣを選択することができない。
以下に説明する基地局装置４は、上述した問題を解決し得るように改良され、さらに、図３〜図４を参照して後述するＦＦＲ方式にも適用できるように改良されている。
【００２５】
〔ＦＦＲ方式〕
まず、ＦＦＲ方式を説明する。
図３は、セルと隣接するその他のセルとの配置を示す図であって、（Ａ）は、セクタアンテナにより、３つのセクタに分割されたセルと隣接するその他のセルとの配置を示し、（Ｂ）は、セルをセクタアンテナで分割しない場合におけるセルと隣接するその他のセルとの配置を示す
図４は、図３に示したセルにおいて、基地局装置４が移動局装置３に送信するデータフレームの構成（ＦＦＲ構成）を例示する図である。
図３（Ａ）に示すように、１つのセルは、セクタアンテナにより、セクタ１、セクタ２およびセクタ３の３つのセクタに分割されている。
また、基地局装置４−１は、セクタ１内に位置する移動局装置３−１〜３−４と無線通信を行う。
同様に、基地局装置４−２は、セクタ２内に位置する移動局装置（図示せず）と、基地局装置４−３は、セクタ３内に位置する移動局装置（図示せず）と通信を行う。
【００２６】
ＦＦＲ方式では、基地局装置４−１は、例えば、移動局装置４−１のように、セルの端に位置する移動局装置に送信するデータを、図４に示したセクタ１のデータフレーム内のバースト＃０に割り当てることにより、他のセクタからの干渉を低減させることができる。
つまり、バースト＃０に割り当てられたデータは、図４に示すように、隣接セクタに対して、所定のタイミングで所定の周波数帯域を占有するので、隣接セクタからの干渉が低減される。
バースト＃１〜３に割り当てられたデータは、図４に示すように、隣接セクタに対して、所定のタイミングで所定の周波数帯域を占有しないので、セルの中心に位置する例えば、移動局装置３−２〜移動局装置３−４に対して送信するデータが割り当てられる。
つまり、セクタ１のデータフレーム内のバースト＃０に割り当てられてセルエッジ端末に送信されたデータは、隣接する他のセルのセクタ１からしか干渉を生じない。
【００２７】
また、図３（Ｂ）に示すように、セルがセクタアンテナにより分割されていない場合、基地局装置４−１は、例えば、セル１の端に位置する移動局装置３−１にデータを送信する場合には、図４に示したセル１のデータフレーム内のバースト＃０に割り当てることにより、他のセルからの干渉を低減させることができる。
つまり、バースト＃０に割り当てられたデータは、図４に示すように、隣接セルに対して、所定のタイミングで所定の周波数帯域を占有するので、隣接セルからの干渉が低減される。
バースト＃１〜３に割り当てられたデータは、図４に示すように、隣接セルに対して、所定のタイミングで所定の周波数帯域を占有しないので、バースト＃０に割り当てられたデータに比べて、隣接セルからの干渉が大きい。
以下、説明のため、図４（Ａ）に示したセルがセクタアンテナにより分割されている場合を具体例とする。
【００２８】
図１（Ｂ）に示すように、基地局装置４は、図１（Ａ）に示した基地局装置４の復調部２０２、Ｃ／Ｎ値検出部２０４、適応変調テーブル部２０６およびＭＣ選択部２０８、適応変調部２１０をそれぞれ、復調部４００、Ｃ／Ｎ値検出部４０２、適応変調テーブル部４０８（テーブル保持手段）、ＭＣ選択部４１０（選択手段）および適応変調部４１４に置き換え、判定部４０４、テーブル更新部４０６（テーブル更新手段）およびＭＡＰ生成部４１２（データ生成手段）を加えた構成を採る。
【００２９】
復調部４００は、ＯＦＤＭ復調部２００から入力された受信信号に含まれているＣ／Ｎ情報、ＡＣＫ／ＮＡＣＫ情報および受信データを、移動局装置３の変調部３１２（図２（Ａ））の変調方式に対応した復調方式で、復調する。
また、復調部４００は、例えば、復調した受信信号に含まれている移動局装置番号を検出し、復調したＣ／Ｎ情報とともに、Ｃ／Ｎ値検出部４０２に対して出力する。
また、復調部４００は、ＡＣＫ／ＮＡＣＫ情報を移動局装置番号とともに判定部４０４に対して出力し、ＡＣＫ／ＮＡＣＫ情報および受信データをホストコンピュータ（図示せず）に対して出力する。
Ｃ／Ｎ値検出部４０２は、復調部４００から入力された移動局番号とＣ／Ｎ情報からＣ／Ｎ値を検出し、移動局番号と検出したＣ／Ｎ値とを、ＭＣ選択部４１０に対して出力する。
【００３０】
図５は、適応変調テーブルを例示する図であって、（Ａ）は、図４に示したデータフレーム内のバースト＃０に割り当てたデータに対して用いる適応変調テーブル（セルエッジ端末用適応変調テーブル）であり、（Ｂ）は、バースト＃１〜３に割り当てたデータに対して用いる適応変調テーブル（通常端末用適応変調テーブル）である。
図５に示すように、セルエッジ端末用適応変調テーブルと通常端末用適応変調テーブルとは、同じＣ／Ｎ値でも異なるＭＣが定義されている。
【００３１】
適応変調テーブル部４０８は、図５に示したセルエッジ端末用適応変調テーブルおよび通常端末用適応変調テーブルを記憶し、テーブル更新部４０６により適宜更新される。
また、適応変調テーブル部４０８は、テーブル更新部４０６により適宜更新されるセルエッジ端末用適応変調テーブルおよび通常端末用適応変調テーブルを、ＭＣ選択部４１０に対して出力する。
テーブル更新部４０６は、判定部４０４から出力されるテーブル更新命令に基づいて、適応変調テーブル部４０８に記憶されているセルエッジ端末用適応変調テーブルと、通常端末用適応変調テーブルとを適宜更新する。
【００３２】
ＭＣ選択部４１０は、全移動局装置の移動局装置番号とＣ／Ｎ値とを、Ｃ／Ｎ値検出部４０２から受信する。
また、ＭＣ選択部４１０は、受信した全移動局装置のＣ／Ｎ値から、各バースト（バースト＃０〜３）に、どの移動局装置のデータを割り当てるか（バースト情報）を決定する。
また、ＭＣ選択部４１０は、受信した各移動局装置からのＣ／Ｎ値と、適応変調テーブル部４０８から入力されたセルエッジ端末用適応変調テーブルまたは通常端末用適応変調テーブルとから、各バーストに対する最適なＭＣを選択する。
また、ＭＣ選択部４１０は、決定したバースト情報とＭＣ情報とを、ＭＡＰ生成部４１２に対して出力する。
また、ＭＣ選択部４１０は、決定したバースト情報と各バーストに対するＭＣを選択したときに用いたＣ／Ｎ値とを、判定部４０４に対して出力する。
【００３３】
具体的には、ＭＣ選択部４１０は、各移動局装置の長時間平均Ｃ／Ｎ値を、全移動局装置に対して算出し、閾値などを用いて、２つのグループに分け、例えば、長時間平均Ｃ／Ｎ値が所定の閾値より低いグループの中から、評価関数値を用いてバースト＃０に割り当てて送信する移動局装置のデータを決定し、その他の移動局装置に送信するデータは、バースト＃１〜＃３にそれぞれ割り当てることを決定する。
ここで、評価関数値としては、例えば、過去の送信データ量、送信データの優先度（音声等遅延が許されないデータ等を優先）など、これらに限らず用いられる。
【００３４】
また、ＭＣ選択部３１０は、バースト＃０に割り当てて送信（セルエッジ送信）する移動局装置のデータに対して、その移動局装置から受信したＣ／Ｎ値に対応したＭＣを、セルエッジ端末用適応変調テーブルから選択する。
また、ＭＣ選択部３１０は、バースト＃１〜＃３に割り当てて送信（通常送信）する移動局装置のデータに対して、各移動局装置から受信したＣ／Ｎ値に対応したＭＣを、通常端末用適応変調テーブルからそれぞれ選択する。
【００３５】
以上説明した、ＭＣ選択部４１０の処理を、図６を参照してさらに説明する。
図６は、ＭＣ選択部４１０の処理（Ｓ１０）を示すフローチャートである。
図６に示すように、ステップ１００（Ｓ１００）において、ＭＣ選択部４１０は、全移動局装置の移動局装置番号とＣ／Ｎ値とを受信する。
ステップ１０２（Ｓ１０２）において、ＭＣ選択部４１０は、各移動局装置の長時間平均Ｃ／Ｎ値を、全移動局装置に対して算出する。
ステップ１０４（Ｓ１０４）において、ＭＣ選択部４１０は、算出した各移動局装置の長時間平均Ｃ／Ｎ値を比較する。
【００３６】
ステップ１０６（Ｓ１０６）において、ＭＣ選択部４１０は、各移動局装置において、長時間平均Ｃ／Ｎ値が閾値より小さい移動局装置であるか否かを判断する。
長時間平均Ｃ／Ｎ値が閾値より小さい移動局装置であるときには、ＭＣ選択部４１０は、Ｓ１０８の処理に進み、これ以外のときには、Ｓ１１２の処理に進む。
ステップ１０８（Ｓ１０８）において、ＭＣ選択部４１０は、評価関数値などを用いてバースト＃０に割り当てる移動局装置のデータを決定する。
【００３７】
ステップ１１０（Ｓ１１０）において、ＭＣ選択部４１０は、バースト＃０に割り当てて送信する移動局装置のデータに対して、その移動局装置から受信したＣ／Ｎ値に対応したＭＣを、セルエッジ端末用適応変調テーブルから選択する。
ステップ１１２（Ｓ１１２）において、ＭＣ選択部４１０は、バースト＃１〜３に割り当てる移動局装置のデータを決定する。
【００３８】
ステップ１１４（Ｓ１１４）において、ＭＣ選択部４１０は、バースト＃１〜＃３に割り当てて送信する移動局装置のデータに対して、各移動局装置から受信したＣ／Ｎ値に対応したＭＣを、通常端末用適応変調テーブルからそれぞれ選択する。
ステップ１１６（Ｓ１１６）において、ＭＣ選択部４１０は、バースト情報とＭＣ情報とを、ＭＡＰ生成部３１２に対して出力する。
ステップ１１８（Ｓ１１８）において、ＭＣ選択部４１０は、バースト情報と各バーストに対するＭＣを選択したときに用いたＣ／Ｎ値とを、判定部３０４に対して出力する。
【００３９】
ＭＡＰ生成部４１２（図１（Ｂ））は、ＭＣ選択部４１０から入力されたバースト情報およびＭＣ情報と、ホストコンピュータ（図示せず）などから入力された送信データとから、図４に示したようなデータフレームを生成し、適応変調部４１４に対して出力する。
具体的には、ＭＡＰ生成部４１２は、プリアンブルの生成、バーストの配置情報およびＭＣ情報などを含むＭＡＰ情報、および、バースト＃０〜＃３に対する送信データの生成を行う。
適応変調部４１４は、ＭＡＰ生成部４１２から入力された送信データフレームの各バーストに対して、適応変調を行い、ＯＦＤＭ変調部２１２に対して出力する。
なお、プリアンブルは、ＢＰＳＫの変調方式で送信される。
【００４０】
図７は、判定部４０４が記録する記録テーブルおよび記録テーブルに基づいて作成されるＣ／Ｎ値ごとのＡＣＫ／ＮＡＣＫのカウントテーブルを示す図であって、（Ａ）は、判定部４０４が記録する記録テーブルを示し、（Ｂ）は、セルエッジ送信で送信された場合におけるＣ／Ｎ値ごとのＡＣＫ／ＮＡＣＫのカウントテーブル（セルエッジカウントテーブル）を示し、（Ｂ）は、通常送信で送信された場合におけるＣ／Ｎ値ごとのＡＣＫ／ＮＡＣＫのカウントテーブル（通常カウントテーブル）を示す。
【００４１】
判定部４０４は、ＭＣ選択部４１０から入力されたバースト情報および各バーストに対するＭＣを選択したときに用いたＣ／Ｎ値とから、送信先の移動局装置番号、セルエッジ送信または通常送信かを示す送信モードおよびＭＣを選択したときに用いたＣ／Ｎ値を、図７（Ａ）に示した記録テーブルに記録する。
また、判定部４０４は、復調部４００からＡＣＫ／ＮＡＣＫ情報と移動局装置番号を受信し、ＡＣＫ／ＮＡＣＫ情報を、上述した移動局装置番号、送信モード、Ｃ／Ｎ値に対応させて記録テーブルに記録する。
また、判定部４０４は、図７（Ａ）に示した記録テーブルに基づいて、Ｃ／Ｎ値ごとのＡＣＫ／ＮＡＣＫの回数を、セルエッジ送信と通常送信に分けてカウントする。
つまり、セルエッジ送信の場合には、図７（Ｂ）に示したセルエッジカウントテーブルで、Ｃ／Ｎ値ごとのＡＣＫ／ＮＡＣＫの回数をカウントし、通常送信の場合には、図７（Ｃ）に示した通常カウントテーブルで、Ｃ／Ｎ値ごとのＡＣＫ／ＮＡＣＫの回数をカウントする。
【００４２】
具体的には、判定部４０４は、図７（Ａ）に示した記録テーブルの１行目のように記録されたときには、送信モードは、セルエッジなので、図７（Ｂ）に示したセルエッジカウントテーブルがカウント対象になり、Ｃ／Ｎ値＝１０（ｄｂ）、ＡＣＫ／ＮＡＣＫ情報＝ＡＣＫなので、図７（Ｂ）に示したセルエッジカウントテーブルにおいて、Ｃ／Ｎ値＝１０（ｄｂ）の行の、ＡＣＫの欄にカウントする。
【００４３】
判定部４０４は、図７（Ｂ）および（Ｃ）に示したカウントテーブルに基づいて、例えば、所定のＣ／Ｎ値において、ＡＣＫ＋ＮＡＣＫが所定の回数以上カウントされ、且つ、ＮＡＣＫが所定の回数以下の場合、図５に示した、セルエッジ端末用適応変調テーブルまたは通常端末用適応変調テーブルのＭＣを、伝送路量が増加するように、一欄上方に平行移動する。
また、判定部４０４は、図７（Ｂ）および（Ｃ）に示したテーブルに基づいて、例えば、所定のＣ／Ｎ値において、ＡＣＫ＋ＮＡＣＫが所定の回数以上カウントされ、且つ、ＮＡＣＫが所定の回数以上の場合、図５に示した、セルエッジ端末用適応変調テーブルまたは通常端末用適応変調テーブルのＭＣを、伝送路量が減少するように、一欄下方に平行移動する。
【００４４】
以上説明した、判定部４０４の処理を、図８を参照してさらに説明する。
図８は、判定部４０４の処理（Ｓ１６）を示すフローチャートである。
図８に示すように、ステップ１６０（Ｓ１６０）において、判定部４０４は、送信先の移動局装置番号、送信モード、Ｃ／Ｎ値（対象Ｃ／Ｎ）および送信結果を示すＡＣＫ／ＮＡＣＫ情報を、図７（Ａ）に示した記録テーブルに記録する。
ステップ１６２（Ｓ１６２）において、判定部４０４は、記録した記録テーブルの送信モードが、セルエッジ送信か通常送信かを判断する。  
記録した記録テーブルの送信モードが、セルエッジ送信のときには、Ｓ１６４の処理に進み、これ以外のときには、Ｓ１８０の処理に進む。
【００４５】
ステップ１６４（Ｓ１６４）において、判定部４０４は、更新対象テーブル＝セルエッジ端末用適応変調テーブル、更新対象カウントテーブル＝セルエッジカウントテーブルとする。
ステップ１６６（Ｓ１６６）において、判定部４０４は、更新対象カウントテーブルに対応する、対象Ｃ／ＮのＡＣＫ／ＮＡＣＫの回数をカウントアップする。
【００４６】
ステップ１６８（Ｓ１６８）において、判定部４０４は、対象Ｃ／Ｎで、ＡＣＫ＋ＮＡＣＫの回数が、所定の回数（Ｎ）以上か否かを判断する。
対象Ｃ／Ｎで、ＡＣＫ＋ＮＡＣＫの回数が、所定の回数（Ｎ）以上のときには、判定部４０４は、Ｓ１７０に進み、これ以外のときには、処理を終了する。
ステップ１７０（Ｓ１７０）において、判定部４０４は、ＮＡＣＫの回数が、所定の回数（Ｍ１）以下か否かを判断する。
【００４７】
ＮＡＣＫの回数が、所定の回数（Ｍ１）以下のときには、判定部４０４は、Ｓ１７２の処理に進み、これ以外のときには、Ｓ１７４の処理に進む。
ステップ１７２（Ｓ１７２）において、判定部４０４は、更新対象のテーブルを一欄分上方に平行シフトさせるように、テーブル更新部４０６に対してテーブル更新命令を出力する。
【００４８】
ステップ１７４（Ｓ１７４）において、判定部４０４は、ＮＡＣＫの回数が、所定の回数（Ｍ２）以上か否かを判断する。
ＮＡＣＫの回数が、所定の回数（Ｍ２）以上のときには、判定部４０４は、Ｓ１７８の処理に進み、これ以外のときには、Ｓ１７６の処理に進む。
ステップ１７６（Ｓ１７６）において、判定部４０４は、更新対象のテーブルを一欄分下方に平行シフトさせるように、テーブル更新部４０６に対してテーブル更新命令を出力する。
【００４９】
ステップ１７８（Ｓ１７８）において、判定部４０４は、更新カウントテーブルにおいて、対象Ｃ／ＮのＡＣＫ／ＮＡＣＫの回数をクリアする。
ステップ１８０（Ｓ１８０）において、判定部４０４は、更新対象テーブル＝通常端末用適応変調テーブル、更新対象カウントテーブル＝通常カウントテーブルとする
【００５０】
以上説明したように、第２の実施形態では、セルエッジ送信と通常送信用に準備された適応変調テーブルのＭＣ欄が、ＡＣＫ／ＮＡＣＫの回数に応じて適宜変更されることにより、より精度の高いＭＣが選択される。
また、上述した第２の実施例は、図３（Ａ）に示したようにセクタアンテナによりセルが分割された場合を具体例としたが、図３（Ｂ）に示したようにセクタアンテナによりセルが分割されていない場合においても、同様に、図４に示したデータフレームが用いられることにより実行される。
【００５１】
［全体動作］
以下、図３（Ａ）または図４（Ｂ）に示したセルにおいて、基地局装置４−１が、４台の移動局装置３−１〜移動局装置３−４と無線通信をする場合における全体的動作を説明する。
図９は、図３（Ａ）または図４（Ｂ）に示したセルにおいて、基地局装置４−１が、４台の移動局装置３−１〜移動局装置３−４と無線通信をする場合における全体的動作（Ｓ２０）を示す通信シーケンス図である。
【００５２】
図９に示すように、ステップ２００（Ｓ２００）において、ＭＣ選択部４１０（図２（Ｂ））は、バースト情報とＭＣ情報とを、ＭＡＰ生成部４１２に対して出力し、バースト情報と各バーストに対するＭＣを選択したときに用いたＣ／Ｎ値とを、判定部４０４に対して出力する。
ステップ２０２（Ｓ２０２）において、ＭＡＰ生成部４１２は、ＭＣ選択部４１０から入力されたバースト情報およびＭＣ情報と、ホストコンピュータ（図示せず）などから入力された送信データとから、データフレームを生成し、適応変調部４１４およびＯＦＤＭ変調部２１２を介して、移動局装置３−１〜移動局装置３−４に送信する。
【００５３】
ステップ２０４（Ｓ２０４）において、Ｃ／Ｎ値検出部４０２は、移動局装置３−１から、ＯＦＤＭ復調部２００および復調部４００を介してＣ／Ｎ情報を受信し、判定部４０４は、移動局装置３−１から、ＯＦＤＭ復調部２００および復調部４００を介してＡＣＫ／ＮＡＣＫ情報を受信する。
ステップ２０６（Ｓ２０６）において、Ｃ／Ｎ値検出部４０２は、Ｃ／Ｎ値を検出し、ＭＣ選択部４１０に対して出力する。
ステップ２０８（Ｓ２０８）において、判定部４０４は、受信したバースト情報、Ｃ／Ｎ値およびＡＣＫ／ＮＡＣＫ情報からテーブル更新命令を生成し、テーブル更新部４０６に対して出力する。
【００５４】
ステップ２１０（Ｓ２１０）において、Ｃ／Ｎ値検出部４０２は、移動局装置３−２から、ＯＦＤＭ復調部２００および復調部４００を介してＣ／Ｎ情報を受信し、判定部４０４は、移動局装置３−２から、ＯＦＤＭ復調部２００および復調部４００を介してＡＣＫ／ＮＡＣＫ情報を受信する。
ステップ２１２（Ｓ２１２）において、Ｃ／Ｎ値検出部４０２は、Ｃ／Ｎ値を検出し、ＭＣ選択部４１０に対して出力する。
ステップ２１４（Ｓ２１４）において、判定部４０４は、受信したバースト情報、Ｃ／Ｎ値およびＡＣＫ／ＮＡＣＫ情報からテーブル更新命令を生成し、テーブル更新部４０６に対して出力する。
【００５５】
ステップ２１６（Ｓ２１６）において、Ｃ／Ｎ値検出部４０２は、移動局装置３−３から、ＯＦＤＭ復調部２００および復調部４００を介してＣ／Ｎ情報を受信し、判定部４０４は、移動局装置３−３から、ＯＦＤＭ復調部２００および復調部４００を介してＡＣＫ／ＮＡＣＫ情報を受信する。
ステップ２１８（Ｓ２１８）において、Ｃ／Ｎ値検出部４０２は、Ｃ／Ｎ値を検出し、ＭＣ選択部４１０に対して出力する。
ステップ２２０（Ｓ２２０）において、判定部４０４は、受信したバースト情報、Ｃ／Ｎ値およびＡＣＫ／ＮＡＣＫ情報からテーブル更新命令を生成し、テーブル更新部４０６に対して出力する。
【００５６】
ステップ２２２（Ｓ２２２）において、Ｃ／Ｎ値検出部４０２は、移動局装置３−４から、ＯＦＤＭ復調部２００および復調部４００を介してＣ／Ｎ情報を受信し、判定部４０４は、移動局装置３−４から、ＯＦＤＭ復調部２００および復調部４００を介してＡＣＫ／ＮＡＣＫ情報を受信する。
ステップ２２４（Ｓ２２４）において、Ｃ／Ｎ値検出部４０２は、Ｃ／Ｎ値を検出し、ＭＣ選択部４１０に対して出力する。
ステップ２２６（Ｓ２２６）において、判定部４０４は、受信したバースト情報、Ｃ／Ｎ値およびＡＣＫ／ＮＡＣＫ情報からテーブル更新命令を生成し、テーブル更新部４０６に対して出力する。
【図面の簡単な説明】
【００５７】
【図１】多値変調方式と誤り訂正方式（誤り訂正符号化率）の組合せ（ＭＣ；Modulation&Coding）ごとのＣ／Ｎ（Carrier Energy/Noise ratio）値 に対する誤り率（ＢＥＲ；Bit Error Rate）を示す図である。
【図２】図２（Ａ）は、本発明にかかる無線通信システムの構成、および、基地局装置および移動局装置の構成を例示する図であり、図２（Ｂ）は、図２（Ａ）に示した基地局装置の代わりに用いられる基地局装置の構成を示す図である。
【図３】セルと隣接するその他のセルとの配置を示す図であって、（Ａ）は、セクタアンテナにより、３つのセクタに分割されたセルと隣接するその他のセルとの配置を示し、（Ｂ）は、セルをセクタアンテナで分割しない場合におけるセルと隣接するその他のセルとの配置を示す
【図４】図３に示したセルにおいて、基地局装置が移動局装置に送信するデータフレームの構成（ＦＦＲ構成）を例示する図である。
【図５】適応変調テーブルを例示する図であって、（Ａ）は、図４に示したデータフレーム内のバースト＃０に割り当てたデータに対して用いる適応変調テーブル（セルエッジ端末用適応変調テーブル）であり、（Ｂ）は、バースト＃１〜３に割り当てたデータに対して用いる適応変調テーブル（通常端末用適応変調テーブル）である。
【図６】ＭＣ選択部の処理（Ｓ１０）を示すフローチャートである。
【図７】判定部が記録する記録テーブルおよび記録テーブルに基づいて作成されるＣ／Ｎ値ごとのＡＣＫ／ＮＡＣＫのカウントテーブルを示す図であって、（Ａ）は、判定部が記録する記録テーブルを示し、（Ｂ）は、セルエッジ送信で送信された場合におけるＣ／Ｎ値ごとのＡＣＫ／ＮＡＣＫのカウントテーブル（セルエッジカウントテーブル）を示し、（Ｂ）は、通常送信で送信された場合におけるＣ／Ｎ値ごとのＡＣＫ／ＮＡＣＫのカウントテーブル（通常カウントテーブル）を示す。
【図８】判定部の処理（Ｓ１６）を示すフローチャートである。
【図９】図３（Ａ）または図４（Ｂ）に示したセルにおいて、基地局装置が、４台の移動局装置と無線通信をする場合における全体的動作（Ｓ２０）を示す通信シーケンス図である。
【符号の説明】
【００５８】
１・・・無線通信システム
１０・・・無線通信回線
１００・・・アンテナ
２・・・基地局装置
２００・・・ＯＦＤＭ復調部
２０２・・・復調部
２０４・・・Ｃ／Ｎ値検出部
２０６・・・適応変調テーブル部
２０８・・・ＭＣ選択部
２１０・・・適応変調部
２１２・・・ＯＦＤＭ変調部
２１４・・・ＲＦ部
３・・・移動局装置
３００・・・ＲＦ部
３０２・・・ＯＦＤＭ復調部
３０４・・・適応復調部
３０６・・・受信ＭＣ検出部
３０８・・・Ｃ／Ｎ検出部
３１０・・・データ送信部
３１２・・・変調部
３１４・・・ＯＦＤＭ変調部
４・・・基地局装置
４００・・・復調部
４０２・・・Ｃ／Ｎ値検出部
４０４・・・判定部
４０６・・・テーブル更新部
４０８・・・適応変調テーブル部
４１０・・・ＭＣ選択部
４１２・・・ＭＡＰ生成部
４１４・・・適応変調部
【図１】
2009207044.tif 000003
【図２】
2009207044.tif 000004
【図３】
2009207044.tif 000005
【図４】
2009207044.tif 000006
【図５】
2009207044.tif 000007
【図６】
2009207044.tif 000008
【図７】
2009207044.tif 000009
【図８】
2009207044.tif 000010
【図９】
2009207044.tif 000011